(57)【要約】【課題】動作に伴って温度上昇する回路基板の放熱を効果的に行なうことができるカメラを提供する。【解決手段】カメラ１００の電源がオンされると、第１回路基板１４が動作し温度上昇し、その熱はケース１０３２の底壁１０４４に伝達される。底壁１０４４に伝達された熱は、該底壁１０４４から底壁１０４４とカメラヘッド２０との間に形成された空間により放熱され、すなわち大気により放熱される。これにより、底壁１０４４に面した空気に対流現象が生じて上方に移動し、他の熱せられていない空気が底壁１０４４の近傍に移動することで効率よく底壁１０４４の放熱、言い換えると第１回路基板１２の放熱、あるいはケース内の放熱が行なわれる。【選択図】　　　　図１５
2004054159.tif 000002
【特許請求の範囲】
【請求項１】
カメラ本体と、
前記カメラ本体に連結されたカメラヘッドと、
カメラの様々な動作の制御を行なう回路素子が配置された回路基板とを備え、
前記カメラ本体のケースに前記カメラヘッドが収容される凹部が形成されたカメラにおいて、
前記回路基板は、前記ケースの内部で前記凹部の底壁に臨む箇所に配置されている、
ことを特徴とするカメラ。
【請求項２】
カメラ本体と、
撮影レンズ光学系を有し、収納位置と撮影位置との間を移動できるように前記カメラ本体に連結されたカメラヘッドと、
カメラの様々な動作の制御を行なう回路素子が配置された回路基板とを備え、
前記カメラ本体は、該カメラ本体の外装を構成するケースを有して構成され、
前記ケースには、前記収納位置においてカメラヘッドが収容される凹部が形成されたカメラにおいて、
前記凹部は、前記収納位置において前記カメラヘッドにより覆われ、前記撮影位置において大気に臨む底面を有し、
前記回路基板は、前記ケースの内部で前記凹部の底面に臨む箇所に配置されている、
ことを特徴とするカメラ。
【請求項３】
前記収納位置において、前記カメラヘッドと前記底面との間に隙間が確保されていることを特徴とする請求項２記載のカメラ。
【請求項４】
前記回路素子は動作クロック周波数の高いマイクロコンピュータを含んで構成されていることを特徴とする請求項２記載のカメラ。
【請求項５】
前記凹部の底壁と前記回路起基板とはそれぞれ平面視長方形を呈し、それらの長手方向をほぼ一致させて配置されていることを特徴とする請求項２記載のカメラ。
【請求項６】
前記回路基板の下方で前記ケースの内部には、後壁の後方に臨むように表示部が配置され、また、前壁に臨ませて別の回路基板が配置されていることを特徴とする請求項２記載のカメラ。
【発明の詳細な説明】
【０００１】
【発明の属する技術分野】
本発明は、撮影レンズ光学系を有するカメラヘッドがカメラ本体に対して移動可能に連結されたカメラに関する。
【０００２】
【従来の技術】
撮像レンズ光学系で結像された被写体像を撮像素子で検出し、該撮像素子から出力される撮像信号に基づいて画像データを生成し、その画像データをメモリデバイスなどに格納するデジタルスチルカメラがある。
このようなデジタルスチルカメラにおいては、前記画像データの処理を含む種々の制御処理を行なうための電気回路が構成された回路基板が内蔵されている。このような回路基板は、矩形板状の基板上にマイクロコンピュータを含むＬＳＩや周辺回路を構成するＬＳＩなどの回路素子が実装され、全体として厚さを有する矩形板状となっている。
また、デジタルスチルカメラの外装を構成するケースの内部には、前記メモリデバイスを装脱可能に収容するメモリデバイス収容部、バッテリーを収容するバッテリー収容部、前記画像データを表示する液晶表示器などが収容保持されている。
前記回路基板は、前記ケース内部における占有スペースを節約するため、前記メモリデバイス収容部、バッテリー収容部、液晶表示器などの間に形成される空間に、該回路基板の厚さ方向が挟まれた状態で配置されることが多い。
【０００３】
【発明が解決しようとする課題】
前記回路基板の回路素子は、電力消費量が大きいため動作に伴って温度上昇しやすく、したがって回路基板を効率的に放熱することが回路素子の動作を安定化させる上で望ましい。
しかしながら、前記回路基板を前記ケース内のメモリデバイス収容部、バッテリー収容部、液晶表示器などの間に形成される空間に収容した場合には、前記回路基板の放熱を効果的に行なうことが難しいという不具合があった。
本発明は、このような実状に鑑みてなされたものであり、その目的とするところは、動作に伴って温度上昇する回路基板の放熱を効果的に行なうことができるカメラを提供することにある。
【０００４】
【課題を解決するための手段】
本発明のカメラは、前記目的を達成するため、カメラ本体と、前記カメラ本体に連結されたカメラヘッドと、カメラの様々な動作の制御を行なう回路素子が配置された回路基板とを備え、前記カメラ本体のケースに前記カメラヘッドが収容される凹部が形成されたカメラにおいて、前記回路基板は、前記ケースの内部で前記凹部の底壁に臨む箇所に配置されていることを特徴とする。
また、本発明は、カメラ本体と、撮影レンズ光学系を有し、収納位置と撮影位置との間を移動できるように前記カメラ本体に連結されたカメラヘッドと、カメラの様々な動作の制御を行なう回路素子が配置された回路基板とを備え、前記カメラ本体は、該カメラ本体の外装を構成するケースを有して構成され、前記ケースには、前記収納位置においてカメラヘッドが収容される凹部が形成されたカメラにおいて、前記凹部は、前記収納位置において前記カメラヘッドにより覆われ、前記撮影位置において大気に臨む底壁を有し、前記回路基板は、前記ケースの内部で前記凹部の底面に臨む箇所に配置されていることを特徴とする。
そのため、本発明によれば、回路素子が温度上昇を生じた際に、熱が底壁に伝達される。底壁に伝達された熱は、該底壁から底壁とカメラヘッドとの間に形成された空間に放熱され、すなわち大気に放熱される。これにより、前記底壁に面した空気に対流現象が生じて上方に移動し、他の熱せられていない空気が前記底壁の近傍に移動し、これにより放熱が効率的に行なわれる。
【０００５】
【発明の実施の形態】
以下、本発明によるカメラの実施の形態を図面に基づいて詳細に説明する。
図１は本発明の第１実施の形態におけるカメラを前方から見た斜視図、図２はカメラを後方から見た斜視図、図４は本発明の第１実施の形態におけるカメラの構成を示すブロック図である。
図１、図２に示すように、カメラ１００は、カメラ本体１０と、該カメラ本体１０に対して移動可能に連結されたカメラヘッド２０とを備えて構成されている。
また、前記カメラ本体１０およびカメラヘッド２０は、バッテリー３２（図３参照）から供給される電源によって作動するように構成されている。
図４に示すように、前記カメラヘッド２０は、撮影レンズ光学系２００２、撮像素子２００４、カメラ信号処理部２００６、ビューファインダ装置２００８、フラッシュライト２０１０、フラッシュ駆動部２０１２、ＡＦ補助光光源２０１４、ＬＥＤ駆動部２０１６などを備えて構成されている。
前記撮影レンズ光学系２００２は、被写体像を撮影するための撮影レンズを含んで構成されている。
前記撮像素子２００４は、前記撮影レンズ光学系２００２で撮影された被写体像を検出することにより画像信号を生成出力するように構成されている。
前記カメラ信号処理部２００６は、前記撮像素子２００４から出力される画像信号に必要な処理を行なうことにより画像データを生成出力するように構成されている。
【０００６】
前記ビューファインダ装置２００８は、撮影しようとする被写体像を視認するためのものであり、対物レンズと接眼レンズを含んで構成されており、本実施の形態では、被写体像を表示させる液晶表示器を有しない光学式として構成されている。
前記フラッシュライト２０１０は、被写体像に光を照射するように構成されている。
前記フラッシュ駆動部２０１２は、前記フラッシュライト２０１０に駆動信号を供給することによりフラッシュライト２０１０を発光させるように構成されている。
前記ＡＦ補助光光源２０１４は、被写体像が暗い場合に該被写体像に光を照射することにより、前記撮影レンズ光学系２００２のオートフォーカス動作を可能とするものであり、本実施の形態では、ＬＥＤによって構成されている。
前記ＬＥＤ駆動部２０１６は、前記ＡＦ補助光光源２０１４に駆動信号を供給することにより前記ＡＦ補助光光源２０１４を発光させるように構成されている。
【０００７】
前記カメラ本体１０は、表示部としてのモニタ１００２、モニタ駆動部１００４、メモリデバイス用のコネクタ１００６、メモリデバイス用のインターフェイス部１００８、外部通信用のコネクタ１０１０、外部通信用のインターフェース部１０１２、操作部１０１４、スピーカ１０１６、スピーカ駆動部１０１８、アンテナ１０２０、ブルーツース信号処理部１０２２、ブルーツース通信用のインターフェース部１０２４、メモリ１０２６、画像信号処理部１０２８、制御部１０３０、第１スイッチ１０７０、第２スイッチ１０７２を備えて構成されている。
前記第１、第２スイッチ１０７０、１０７２は、前記カメラヘッド２０の位置に応じてオンオフ動作して第１、第２検出信号Ｓ１、Ｓ２を出力するように構成されている。
前記モニタ１００２は、被写体像などの画像データや文字データなどを表示するものであり、本実施の形態では液晶表示器によって構成されている。
前記モニタ駆動部１００４は、前記画像信号処理部１０２８から供給される画像データや文字データに基づいて駆動信号を生成して前記モニタ１００２に供給することによりモニタ１００２に表示を行なわせるように構成されている。
前記コネクタ１００６は、画像データを含むデータを記憶するメモリデバイス３０に接続可能に構成されている。
【０００８】
前記インターフェイス部１００８は、前記コネクタ１０１０に接続されたメモリデバイス３０との間で画像データを含むデータの授受を行なうように構成されている。
前記外部コネクタ１０１０は、不図示のクレードル（置き台）に前記カメラ本体１０を載置した時に、前記クレードル側のコネクタと接続されるように構成され、前記クレードル側のコネクタを介してパーソナルコンピュータなどの情報処理装置との間で通信が可能となるように構成されている。
前記インターフェイス部１０１２は、前記外部コネクタ１０１０を介した情報の通信を司るように構成されている。
前記操作部１０１４は、各種操作を行なうための複数の操作スイッチや操作ボタンを含んで構成されている
前記スピーカ１０１６は、操作に対応した操作確認音などを発音するように構成されている。
前記スピーカ駆動部１０１８は、前記スピーカ１０１６に駆動信号を供給することにより前記スピーカ１０１６を発音させるように構成されている。
前記アンテナ１０２０は、無線信号としてのブルーツース信号の送受信を行なうように構成されている。
前記ブルーツース信号処理部１０２２は、前記アンテナ１０１２０を介して前記ブルーツース信号の送信および受信の処理を行なうように構成されている。
前記インターフェース部１０２４は、前記ブルーツース信号の送受信の制御を行なうように構成されている。
前記メモリ１０２６は、前記カメラ１００の動作を行なうために必要な種々のデータを格納するように構成されている。
前記画像信号処理部１０２８は、前記カメラ信号処理部２００６から入力される画像データに対して必要な処理を行ない、処理後の画像データを前記インターフェイス部１００８、１０１２、１０２４、メモリ１０２６に供給するように構成されている。
【０００９】
前記制御部１０３０は、前記フラッシュ駆動部２０１２、ＬＥＤ駆動部２０１６、スピーカ駆動部１０１８、インターフェイス部１０２４の制御を行なうとともに、前記操作部１０１４から供給される入力信号に基づいて必要な制御を行なうように構成されている。
また、前記制御部１０３０は、前記第１スイッチ１０７０から供給される第１検出信号Ｓ１に基づいて前記モニタ１００２、撮像素子２００４、カメラ信号処理部２００６、画像信号処理部１０２８に対する電源供給のオン、オフを制御するように構成されている、
また、前記制御部１０３０は、前記第２スイッチ１０７２から供給される第２検出信号Ｓ２に基づいて前記モニタ１００２に表示する画像を、通常の表示または左右反転した鏡面表示の何れかに切り換えるように前記画像信号処理部１０２８に対する制御を行なうように構成されている。
【００１０】
図１、図２に示すように、前記カメラ本体１０は、前後方向の厚さと、厚さよりも大きな上下方向の高さと、高さよりも大きな左右方向の幅とを有した板状のケース１０３２を有して構成されている。なお、説明の便宜上、本発明において左右とはカメラ１００の前方から見て左右をいうものとする。
前記ケース１０３２は、矩形状の底壁１０３４と、底壁１０３４の四辺から起立された前壁１０３６と、後壁１０３８と、左側壁１０４０と、右側壁１０４２と、右側壁１０４２には上下に延在するカバー１０４８が取着されている。
【００１１】
前記ケース１０３２の上部には前記カメラヘッド２０収容用の凹部１０３３が、前後方向に貫通し上方に開放状に形成され、凹部１０３３の左側部には、前壁１０３６と、後壁１０３８と、左側壁１０４０との各上部を構成する突出部１０４６が位置し、凹部１０３３の右側部には前記カバー１０４８の上部が位置し、凹部１０３３の底壁１０４４はこれら突出部１０４６とカバー１０４８の間で上方に臨む平坦面として形成されている。
前記突出部１０４６の上端と前記カバー１０４８の上端は同じ高さとなるように構成され、これら突出部１０４６とカバー１０４８の上端は同一形状の円筒面で形成されている。
前記突出部１０４６の上端には、前記操作部１０１４の一部を構成するシャッタボタン１０４７が設けられている。
前記カバー１０４８の内部空間には、前記アンテナ１０２０が収容して配設されており、カバー１０４８の外面には、前記操作部１０１４の一部を構成する、ブルーツース通信を行なう際に操作するためのブルーツーススイッチ１０４９が設けられている。
【００１２】
前記ケースの底壁１０３４には、前記外部コネクター１０１０と、二次電池取り出し用の蓋１０５０と、スピーカー用の孔１０５２と、三脚取付用のねじ部１０５４とが設けられている。
前記蓋１０５０は、前記底壁に形成された不図示の二次電池収容部の開口を閉塞するものである。前記二次電池は前記メモリ１０２６のデータのバックアップ用の電源を供給するものである。
また、前記蓋１０５０および前記底壁１０３４にわたって前記カメラ１００の型番号や製造番号などが表示された機銘板１０５６が接着剤などによって取着されている。したがって、前記カメラ１００を廃棄する際には前記機銘板１０５６を底壁１０３４から剥がした後、前記蓋１０５０を開放してから前記二次電池を取り外して廃棄するように構成されている。
前記スピーカ用の孔１０５２は、前記カメラ本体１０の内部に配設された前記スピーカ１０１６の音をカメラ本体１０の外方に伝達するためのものである。
前記三脚取付用のねじ部１０５４は、前記カメラ本体１０を三脚の雄ねじに螺合するための雌ねじとして形成されている。
【００１３】
前記後壁１０３８には、前記モニタ１００２と、ズームボタン１０５８と、選択ボタン１０６０、１０６２と、吊り下げ金具１０６４とが設けられている。
前記モニタ１００２は、厚みを有する矩形板状に構成され、その表面側に矩形状の表示面が設けられ、裏面部分が前記後壁１０３８の前記右側壁１０４２寄りの箇所に配設されている。
前記ズームボタン１０５８は、前記画像信号処理部１０２８が前記画像データに対して行なうデジタルズーム処理の広角、望遠を指定する操作を行なうためのものである。
前記選択ボタン１０６０、１０６２は、前記カメラ１００に対する種々の操作を行なうためのものである。
前記ズームボタン１０５８、選択ボタン１０６０、１０６２は前記操作部１０１４の一部を構成している。
前記吊り下げ金具１０６４は、ストラップを取付けるためのものである。
【００１４】
ここで前記釣り下げ金具１０６４の取付構造について説明する。
図１７（Ａ）に示すように、この吊り下げ金具１０６４は、ストラップを取着するためのリング１０６４Ａと、このリング１０６４Ａが連結された軸１０６４Ｂとを有して構成され、前記軸１０６４Ｂは、円柱部１０６４Ｃと、この円柱部１０６４Ｃの外周全周に設けられた溝部１０６４Ｄとを備えている。
また、図１７（Ｂ）に示すように、前記カメラ本体１０のケース１０３２の後壁１０３８に、前記円柱部１０６４Ｃを挿通するための挿通孔１０３８Ａが設けられ、この挿通孔１０３８Ａの近傍の下壁１０３４箇所にねじ挿通孔１０３４Ａが貫設されている。
前記溝部１６０４Ｄは、前記後壁１０３８の外面から前記円柱部１０６４Ｃが挿通孔１０３８Ａに挿通された状態で前記後壁１０３８の内面に位置するように設けられている。
前記吊り下げ金具１０６４をケース１０３２に取着するに際して取付片１６が用いられ、この取付片１６は、ケース１０３２の下壁１０３４上面に当接可能な第１片部１６０２と、ケース１０３２の後壁１０３８内面に当接可能な第２片部１６０４とを備えており、前記第１片部１６０２にねじ孔１６０６が設けられ、前記第２片部１６０４に、前記溝部１０６４Ｄに係合可能な係合溝１６０８が設けられている。
前記取付片１６のねじ孔１６０６は、第１片部１６０２をケース１０３２の下壁１０３４上面に当接しかつ第２片部１６０４を後壁１０３８内面に当接した状態で、前記後壁１０３８の挿通孔１０３８Ａに挿通された円柱部１０６４の溝部１０６４Ｄに前記係合溝１６０８を係合させると、前記ケース１０３２のねじ挿通孔１０３４Ａに合致する箇所に設けられている。
【００１５】
このような構成によれば、前記取付片１６の係合溝１６０８が吊り下げ金具１０６４の溝１６０４Ｄに確実に係合した状態でのみ、前記ケース１０３２のねじ挿通孔１０３４Ａと取付片１６のねじ孔１６０６とが一致する。
この状態でねじを前記ねじ挿通孔１０３４Ａを介してねじ孔１６０６に螺合することにより吊り下げ金具１０６４をケース１０３２に対して確実に取付けることができる。
また、前記取付片１６の係合溝１６０６が吊り下げ金具１０６４の溝１６０４Ｄに係合しない場合には、前記ケース１０３２のねじ挿通孔１０３４Ａと取付片１６のねじ孔１６０６とが一致しない。
この状態では、ねじを前記ねじ挿通孔１０３４Ａを介してねじ孔１６０６に螺合することができず、前記取付片１６と吊り下げ金具１０６４の係合が不充分であることを瞬時に判断することができる。
したがって、吊り下げ金具１０６４と取付片１６とが確実に係合しているか否かを容易に確認することができ、前記吊り下げ金具１０６４のケース１０３２に対する取付を確実に実施する上で有利となる。
【００１６】
これに対して、従来は、図２１（Ａ）乃至（Ｃ）に示すように、吊り下げ金具１０６４の円柱部１０６４Ｃが前記ケース１０３２の挿通孔（不図示）に挿通された状態で前記ケース１０３２の内面に位置した溝部１０６４ＣにＥリング３０を係合することにより、吊り下げ金具１０６４をケース１０３２に取付ける構成となっていた。そのため、図２１（Ｄ）に示すように、Ｅリング３０の溝部１０６４Ｃに対する係合が不充分であっても、このことを容易に判断することが難しいという不都合があったが、本発明の吊り下げ金具の取付構造によればこのような不具合を解消できる。
【００１７】
以上の吊り下げ金具の取付構造を要約すると次の通りである。
リングと、前記リングが連結された軸とを有するストラップを取付ける吊り下げ金具をケースに取付ける構造であって、前記軸は、円柱部と、この円柱部の外周全周に設けられた溝部とを備え、前記ケースには、前記円柱部を挿通する挿通孔が設けられ、さらに、前記軸をケースに取付けるための取付片が設けられ、前記取付片は、前記溝部に係合可能な係合溝と、該取付片を前記ケースに取付けるためのねじ孔が設けられ、前記溝部は、前記ケースの外面から前記円柱部が挿通孔に挿通された状態で前記ケースの内面に位置するように設けられ、前記取付片のねじ孔は、前記ケースの挿通孔に挿通された円柱部の溝部に前記ケースの内面から前記係合溝が係合した状態で前記ケースのねじ挿通孔に合致する箇所に設けられているように構成されている。
【００１８】
次に、前記釣り下げ金具の別の取付構造について説明する。
図１８に示すように、この吊り下げ金具１０６９は、ストラップを取着するためのリング１０６９Ａと、このリング１０６９Ａが連結された軸１０６９Ｂと、軸の先端に設けられた係止板１０６９Ｃを有して構成されている。
また、前記カメラ本体１０のケース１０３２の後壁１０３８に、前記係止板１０６９Ｃを挿通するための挿通溝１０３８Ｅが設けられ、この挿通溝１０３８Ｅの近傍の下壁１０３４箇所にねじ挿通孔１０３４Ａが貫設されている。前記挿通溝１０３８Ｅは、軸１０６９Ｂの挿通を不能とし、かつ、係止板１０６９Ｃのみを挿通可能に形成され、図１９に示すように、該挿通溝１０３８Ｅに挿通された係止板１０６９Ｃを９０度回転させると、係止板１０６９Ｃと挿通溝１０３８Ｅはほぼ直交し、係止板１０６９Ｃが挿通溝１０３８Ｅから抜落できないように構成されている。
前記係止板１０６９Ｃは、前記後壁１０３８の外面から該係止板１０６９Ｃが挿通溝１０３８Ｅに挿通された状態で前記後壁１０３８の内面に位置するように設けられている。
【００１９】
図２０に示すように、前記吊り下げ金具１０６９をケース１０３２に取着するに際して取付片１８が用いられ、この取付片１８は、ケース１０３２の下壁１０３４上面に当接可能な第１片部１８０２と、ケース１０３２の後壁１０３８内面に当接可能な第２片部１８０４とを備えており、前記第１片部１８０２にねじ孔１８０６が設けられ、前記第２片部１８０４に、前記係止板１０６９Ｃに係合可能で該係止板１０６９Ｃに係合することで前記吊り下げ金具１０６９の回転を阻止する係合溝１８０８が設けられている。
前記取付片１８のねじ孔１８０６は、第１片部１８０２をケース１０３２の下壁１０３４上面に当接しかつ第２片部１８０４を後壁１０３８内面に当接した状態で、前記後壁１０３８の挿通溝１０３８Ｅに挿通され９０度回転された状態の係止板１０６９Ｃに対して前記取付片１８の係合溝１８０８を係合させると、前記ケース１０３２のねじ挿通孔１８０６に合致する箇所に設けられている。
【００２０】
このような構成によれば、前記取付片１８の係合溝１８０８が吊り下げ金具１０６４の係止板１０６９Ｃに確実に係合した状態でのみ、前記ケース１０３２のねじ挿通孔１０３４Ａと取付片１８のねじ孔１８０６とが一致する。
この状態でねじを前記ねじ挿通孔１０３４Ａを介してねじ孔１８０６に螺合することにより吊り下げ金具１０６９をケース１０３２に対して確実に取付けることができる。
また、前記取付片１８の係合溝１８０８が吊り下げ金具１０６９の係止板１０６９Ｃに係合しない場合には、前記ケース１０３２のねじ挿通孔１０３４Ａと取付片１８のねじ孔１８０６とが一致しない。
この状態では、ねじを前記ねじ挿通孔１０３４Ａを介してねじ孔１８０６に螺合することができず、前記取付片１８と吊り下げ金具１０６９の係合が不充分であることを瞬時に判断することができる。
したがって、吊り下げ金具１０６９と取付片１８とが確実に係合しているか否かを容易に確認することができ、前記吊り下げ金具１０６９のケース１０３２に対する取付を確実に実施する上で有利となる。
【００２１】
以上の吊り下げ金具の取付構造を要約すると次の通りである。
リングと、前記リングが連結された軸とを有するストラップを取付ける吊り下げ金具をケースに取付ける構造であって、前記軸は、該軸の先端に設けられた係止板を備え、前記ケースには、前記係止板を挿通する挿通溝が設けられ、さらに、前記軸をケースに取付けるための取付片が設けられ、前記取付片は、前記係止板に係合可能な係合溝と、該取付片を前記ケースに取付けるためのねじ孔が設けられ、前記係止板は、前記ケースの外面から該係止板が挿通溝に挿通された状態で前記ケースの内面に位置するように設けられ、前記取付片のねじ孔は、前記ケースの挿通溝に挿通された係止板にケースの内面から前記係合溝が係合した状態で前記ケースのねじ挿通孔に合致する箇所に設けられているように構成されている。
【００２２】
前記左側壁１０４０の上方寄りの箇所には、前記カメラ１００の動作モードを複数種類の撮影モード、再生モードに切り換えて設定するためのモード切換ダイアル１０６５が配設されている。
このモードダイアル１０６５の中心にはプッシュ式の電源スイッチ１０６７が設けられている。この電源スイッチ１０６７がオンオフ操作されると、前記第１スイッチ１０７０のオンオフ状態とは関係なく、前記制御部１０３０による電源供給のオンオフが行なわれる。
図３に示すように、前記左側壁１０４０の下半分には、前記メモリデバイス３０を収容するメモリデバイス収容部１０６４と、前記バッテリー３２を収容するバッテリー収容部１０６６とが設けられており、これら２つの収容部１０６４、１０６６はそれぞれの開口を介して外部に臨み、これら２つの開口は蓋１０６８により開閉される。
【００２３】
前記カメラヘッド２０は、ケース２０２２を有して構成され、前記ケース２０２２は、上部の両側が左右の軸支部２０４４、２０４６を介して前記凹部１０３３の両側面に揺動可能に結合され、左右の軸支部２０４４、２０４６によってカメラヘッド２０を揺動させる回転軸線が形成されている。
前記ケース２０２２は、矩形状の下壁２０２４と、下壁２０２４の四辺から起立された前壁２０２６と、後壁２０２８と、左側壁２０３０と、右側壁２０３２と、これら前壁２０２６、後壁２０２８、左右の側壁２０３０、２０３２の上部を接続する上壁２０３４とを備えて構成されている。
前記ケース２０２２は前記凹部１０３３に収容した際に前記カメラ本体１０とあたかも一体的となるように、前記ケース１０３２と同じ厚さで形成され、また上部が前記突出部１０４６とカバー１０４８の円筒面と同一形状の円筒面で形成されている。
前記ケース２００２の下壁２０２４には、撮影レンズ用窓２０２２Ａ、ビューファインダ用窓２０２２Ｂ、ＡＦ補助光光源用窓２０２２Ｄ、フラッシュライト用窓２０２２Ｅが開口されている。
前記ケース２０２２の上壁２０３４には、接眼用窓２０２２Ｃが開口されている。
【００２４】
前記ケース２０３２の内部には、図６に示すように、ハウジング２０３６と、基板２０３８と、円柱状のコンデンサ２０４０とが取着され、また、前記ケース２０２２の内部には、前記撮影レンズ光学系２００２、ビューファインダ装置２００８、フラッシュライト２０１０、ＡＦ補助光光源２０１６、インジケータランプ２０１７（図２参照）が配設されている。
前記撮影レンズ光学系２００２、撮像素子２００４、ビューファインダ装置２００８は、前記ハウジング２０３６に保持されている。
前記撮影レンズ光学系２００２は、前記ハウジング２０３６に設けられた撮影レンズ用開口と、前記撮影レンズ用窓２０２２Ａとを介してその光軸が外方に臨むように配設されている。
【００２５】
前記ビューファインダ装置２００８は、前記ハウジング２０３６に設けられた対物レンズ用開口と、前記対物レンズ用窓２０２２Ｂを介して前記対物レンズが外方に臨むとともに、前記ハウジング２０３６に設けられた接眼用開口と、前記接眼用窓２０２２Ｃを介して前記接眼レンズが外方に臨むように配設されている。
前記ＡＦ補助光光源２０１６と前記フラッシュライト２０１０は、前記基板２０３８の表面に固定され、前記コンデンサ２０４０は、前記基板２０３８の裏面に固定されている。
前記ケース２０３２の後壁２０２８に臨む前記ハウジング２０３６箇所に凹部２０４２が形成され、前記ケース２０３２内において、前記基板２０３８と前記ＡＦ補助光光源２０１６と前記コンデンサ２０４０は、これらの一部分が前記凹部２０４２に収容されるように配設されている。
前記ＡＦ補助光光源２０１６は、前記ＡＦ補助光用窓２０２２Ｄを介して外方に臨むように配設されている。
前記フラッシュライト２０１０は、前記フラッシュライト用窓２０２２Ｅを介して外方に臨むように配設されている。
そして、前記撮影レンズ光学系２００２とフラッシュライト２０１０は、前記カメラヘッド２０の回転軸線と平行な直線上に間隔をおいて並ぶように配置されている。
図２に示すように、前記インジケータランプ２０１７は、前記ケース２０２２の上壁２０３４に外方に臨むように設けられている。このインジケータランプ２０１７は、前記フラッシュライト２０１０を発光させるためのチャージ量を表示するものであり、前記フラッシュ駆動部２０１２によって点灯される。
【００２６】
前記カメラヘッド２０の左右の軸支部２０４４、２０４６のうち左側の軸支部２０４４は、図５、図７に示すように、軸部２０４８と軸受部２０５６とで構成されている。
前記軸部２０４８は、前記ケース２０２２の左側壁２０２８の上部に突設されている。
前記軸部２０４８の基部外周には円環状の凸部２０５０が形成され、また、この凸部２０５０よりも先端側の軸部２０４８箇所には第１、第２カム部２０５２、２０５４が突出形成されている。
前記軸受部２０５６は、前記凹部１０３３の左側面の内部に組み込まれた２つの軸受部材２０５８により構成されている。
前記軸部２０４８の凸部２０５０は、前記軸受部２０５６の凹溝２０６０に回転可能に支持されるように構成されている。
【００２７】
前記第１カム部２０５２は、軸部２０４８の周方向の第１角度範囲にわたって延在形成されている。
前記第２カム部２０５４は、前記第１角度範囲とは異なる軸部２０４８の周方向の第２角度範囲にわたって延在形成されている。
図８に示すように、前記軸受部２０５６の溝２０６０によって前記軸部２０３６の凸部２０３８が支持された状態で、軸受部２０５６には、軸部２０３６に臨むように前記第１スイッチ１０７０、第２スイッチ１０７２が取着されている。前記第１スイッチ１０７０は、作動片を有し、その作動片が第１カム部２０５２で押圧されることでオンし、その押圧が解除されることでオフすることにより前記第１検出信号Ｓ１を出力するように構成されている。
前記第２スイッチ１０７２は、作動片を有し、その作動片が第２カム部２０５４で押圧されることでオンし、その押圧が解除されることでオフすることにより前記第２検出信号Ｓ２を出力するように構成されている。
【００２８】
前記カメラヘッド２０の左右の軸支部２０４４、２０４６のうち右側の軸支部２０４６は、図９に示すように、ヒンジ機構２２によって構成されている。
前記ヒンジ機構２２は、固定プレート２２０２、ヒンジベース２２０４、ヒンジプレート２２０６、クリックばね２２０８、クリックプレート２２１０で構成されている。
前記固定プレート２２０２は、高さと幅を有し、高さ方向の下半部２２０２Ｃが前記カメラ本体１０の右側壁１０４２の上部に取着されることで、高さ方向の上半部２２０２Ａが前記凹部１０３３に臨むように配設される。前記固定プレーと２２０２の上部中央には矩形状の孔２２０２Ｂが形成され、該孔２２０２Ｂの両側には２つのねじ孔２２０２Ｄが形成されている。
前記ヒンジベース２２０４は、前記固定プレート２２０２の上部に取着される基部２２０４Ａを有し、前記基部２２０４Ａの固定プレート２２０２と反対側の箇所には軸部２２０４Ｂが設けられ、前記軸部２２０４Ｂの径方向の外側に円弧状の溝部２２０４Ｃが設けられている。前記溝部２２０４Ｃの延在する角度範囲は、本実施の形態では３００度となっている。
また、前記軸部２２０４Ｂの先端には、軸方向に突出する断面矩形枠状の係合凸部２２０４Ｄが設けられ、また、軸部２２０４Ｂの先端で前記係合凸部２２０４Ｄの両側には２つのねじ挿通孔２２０４Ｄが形成されている。
【００２９】
前記ヒンジプレート２２０６は、板状に形成され、その中央には前記ヒンジベース２２０４の軸部２２０４Ｂに挿通されることで軸部２２０４Ｂによって回転可能に支持される孔２２０６Ａが設けられている。ヒンジプレート２２０６の孔２２０６Ａを挟む両側箇所には係合凹部２２０６Ｂ、２２０６Ｂが形成されている。
前記ヒンジプレート２２０６の前記ヒンジベース２２０４の溝部２２０４Ｃに面した箇所には該溝部２２０４Ｃに案内されるガイドピン２２０６Ｃが突設されている。また、ヒンジプレート２２０６の下部の幅方向の両側から下方に向かって２つの取付片部２２０６Ｄが延出されている。
前記クリックばね２２０８は、厚さ方向に湾曲した円環板状に形成され、厚さ方向の一方に、すなわち前記ヒンジプレート２２０６と離れる方向に突出する１つの球面状の凸部２２０８Ａが設けられている。
また、クリックばね２２０８の外縁部には前記ヒンジプレート２２０６の２つの係合凹部２２０６Ｂにそれぞれ係合する２つの係合凸部２２０８Ｂが設けられている。
前記クリッププレート２２１０は、円板状に形成され、外周部近傍には周方向に間隔をおいて５つの凹部２２１０Ａ、２２１０Ｂ、２２１０Ｃ、２２１０Ｄ、２２１０Ｅが設けられている。これら５つの凹部は、前記クリックばね２２０８の凸部２２０８Ａに係脱されるように形成されている。
本実施の形態では、前記クリックプレート２２１０の中心軸から見た前記５つの凹部の角度位置は、次のように設定されている。すなわち、前記凹部２２１０Ａを０度とすると、凹部２２１０Ｂが９０度、凹部２２１０Ｃが１８０度、凹部２２１０Ｄが２７０度、凹部２２１０Ｅが３００度である。
【００３０】
図１１（Ａ）、（Ｂ）は、前記クリックばね２２０８の凸部２２０８Ａと、クリックプレート２２１０の５つの凹部２２１０Ａ乃至２２１０Ｅとの関係を示す要部断面図である。
前記５つの凹部２２１０Ａ乃至２２１０Ｅのうちの１つの凹部、例えば凹部２２１０Ａの深さは、図１１（Ａ）、（Ｂ）に示すように、他の残りの凹部２２１０Ｂ乃至２２１０Ｅよりも大きな寸法となるように設定されている。
前記クリックプレート２２１０の中央には前記ヒンジベース２２０４の係合凸部２２０４Ｄと係合する係合孔２２１０Ｆが形成されている。また、前記係合孔２２１０Ａの両側に２つのねじ挿通孔２２１０Ｇが形成されている。
【００３１】
前記ヒンジ機構２２の組立ては、次のように行なわれる。
前記固定プレート２２０２の上部２２０２Ａに前記ヒンジベース２２０４、ヒンジプレート２２０６、クリックばね２２０８、クリックプレート２２１０をこの順番で重ねる。
ここで、前記ヒンジプレート２２０６の孔２２０６Ａにヒンジベース２２０４の軸部２２０４Ｂを挿通し、かつ、ヒンジプレート２２０６のガイドピン２２０６Ｃを前記ヒンジベース２２０４の溝部２２０４Ｃ内に位置させる。
また、前記クリックばね２２０８の係合凸部２２０８Ｂを前記ヒンジプレート２２０６の係合凹部２２０６Ｂに係合させる。
この状態で、２つのねじ２２１２を前記クリックプレート２２１０の各ねじ挿通孔２２１０Ｇとヒンジベース２２０４の各ねじ挿通孔２２０４Ｄを介して前記固定プレート２２０２の各ねじ孔２２０２Ｄに螺合する。
これにより、前記ヒンジプレート２２０６およびクリックばね２２０８が、前記固定プレート２２０２、ヒンジベース２２０４、クリックプレート２２１０に対して揺動可能に支持され、図１０に示すようにヒンジ機構２２が組み立てられる。
この際、前記クリックばね２２０８の凸部２２０８Ａが前記クリックプレート２２１０の凹部２２１０Ａ乃至２２１０Ｅのそれぞれに係合することによって前記ヒンジプレート２２０６の回転方向の位置が前記各凹部のそれぞれの位置で位置決め保持されることになる。
また、前記ヒンジプレート２２０６は、前記ガイドピン２２０６Ｃが前記ヒンジベース２２０４の溝部２２０４Ｃの延在方向に位置する２つの端部のそれぞれに当接することで軸部の回りで３００度の回転範囲の限界位置が位置決めされる。
【００３２】
このようにしてヒンジ機構２２が組立てられたならば、ヒンジ機構２２はカメラ本体１０およびカメラヘッド２０に対して次のように組付けられる。
前記ヒンジプレート２２０６の取付片部２２０６Ｄを前記カメラヘッド２０のケース２０２２の右側壁２０３２にねじで取着し、前記固定プレート２２０２の下部２２０２Ｃを前記カメラ本体１０の右側壁１０４２にねじで取着し、これにより、ヒンジ機構２２はカメラ本体１０およびカメラヘッド２０に組付けられ、前記ヒンジ機構２２は、前記カバー１０４８によって外部から覆われる。
【００３３】
図１５はカメラ本体１０に収容保持されている回路基板の配置を示す説明図、図１６は図１５の縦断面図である。
前記カメラ本体１０のケース１０３２の内部には、前記メモリデバイス収容部１０６４およびバッテリー収容部１０６６と、前記モニタ１００２の裏側の部分とが配置されており、さらに、第１回路基板１２、第２回路基板１４が収容保持されている。
前記第１回路基板１２は、矩形板状のプリント基板１２０２の表面側の部品実装面１２０３上に回路素子としてのＬＳＩ１２０４、１２０６などが実装されて構成されている。
本実施の形態では、前記ＬＳＩ１２０４は、動作クロック周波数が高いマイクロコンピュータからなり、図４で説明した画像信号処理部１０２８、制御部１０３０などを構成し、前記ＬＳＩ１２０６は、図４で説明したメモリ１０２６を構成する。
これらＬＳＩ１２０４、１２０６は、比較的消費電力が高く、それらの動作に伴って温度上昇しやすい。
前記第１回路基板１２は、その部品実装面１２０３が、前記ケース１０３２の凹部１０３３を構成する底壁１０４４の下方近傍において該底壁１０４４と平行をなして臨み、かつ、その延在方向が底壁１０４４の長手方向に沿った状態で配設され、図１６に示すように、前記第１回路基板１２は、前記第２回路基板１４、モニタ１００２の上方に位置している。
【００３４】
前記第２回路基板１４は、矩形板状のプリント基板１４０２の表面側の部品実装面１４０３上に、回路素子としての不図示のＬＳＩが実装されて構成されている。前記ＬＳＩは、モニタ駆動部１００４、メモリデバイス用のインターフェイス部１００８、外部通信用のインターフェース部１０１２、ブルーツース用のインタフェース１０２４、スピーカ駆動部１０１８などを構成する。
これら第２回路基板１４のＬＳＩは、比較的消費電力が低く、それらの動作に伴う温度上昇は第１回路基板１２に対して少ない。
前記第２回路基板１４は、その部品実装面１４０３が、前記ケース１０３２の前壁１０３６の近傍において該前壁１０３６と平行をなして臨んだ状態で配設されている。
【００３５】
次に上述のように構成されたカメラ１００におけるカメラヘッドの揺動動作について説明する。
図１２はカメラ本体に対するカメラヘッドの揺動動作を示す説明図である。
（Ａ）に示すように、前記カメラヘッド２０が収納位置にある状態、すなわちカメラヘッド２０のケース２０２２の下壁２０２４がカメラ本体１０の凹部１０３３の上面に臨む位置にある状態のカメラヘッド２０の揺動角度を０度とする。この場合、前記ヒンジ機構２２のヒンジプレート２２０６の角度も０度であり、カメラヘッド２０はヒンジ機構２２によって０度の位置に保持され、所定値以上の力が加わらない限り揺動しない状態となっている。
この状態で前記第１スイッチ１０７０は、第１カム部２０５２に押圧されていないので第１検出信号Ｓ１はオフ状態であり、前記第２スイッチ２０１０も第２カム部２０５４に押圧されていないので第２検出信号Ｓ２もオフ状態となっている。したがって、制御部１０３０は、前記電源供給を停止した状態を保持している。
なお、カメラヘッド２０が収納位置にある状態では、撮影レンズ光学系２００２が臨む撮影レンズ用窓２０２２Ａや、ビューファインダ装置２００８が臨むビューファインダ用窓２０２２Ｂや、ＡＦ補助光光源２０１６が臨むＡＦ補助光用窓２０２２Ｄや、フラッシュライト２０１０が臨むフラッシュライト用窓２０２２Ｅが凹部１０３３の底面をなす前記底壁１０４４に位置し、カメラ本体１０によって覆われ、したがって、カメラヘッド２０に組み込まれた光学部材や発光部材などのカメラ構成部材がカメラ本体１０によって保護されることになる。
【００３６】
次に、撮影者がカメラ１００による撮影を行なうために、前記カメラヘッド２０を矢印方向に揺動させると、ヒンジ機構２２の凸部が凹部から外れた状態となる。図１２（Ｂ）に示すカメラヘッド２０の角度がＸ度（ケラレがなくなる範囲の角度で例えば４５度から５５度の間の任意の角度）に至るまでの間は、前記第１、第２スイッチ１０７０、２０１０は、いずれもオフ状態となっており、制御部１０３０は、前記電源供給を停止した状態を保持している。
【００３７】
前記カメラヘッド２０の角度がＸ度になると、前記第１スイッチ１０７０が第１カム部２０５２に押圧されて第１検出信号Ｓ１がオン状態なり、これにより、前記制御部１０３０は、前記電源供給を開始する。この場合、第２スイッチ１０７２はオフ状態が維持されている。
図１３に示すように、前記カメラヘッド２０の角度がＸ度よりも小さい角度にあるときには、前記撮影レンズ光学系２００２による撮影範囲に前記カメラ本体１０の箇所が映り込むケラレが生じているが、前記カメラヘッド２０の角度がＸ度以上となったときには、前記ケラレがなくなった状態となっている。
【００３８】
図１２（Ｃ）に示すように、前記カメラヘッド２０をさらに矢印方向に揺動させ、その角度が９０度となると、ヒンジ機構２２のクリックばね２２０８の凸部２２０８Ａがクリックプレート２２１０の凹部２２１０Ｂに係合した状態となる。これにより前記カメラヘッド２０の揺動姿勢が保持され、第１スイッチ２００２はオン状態が維持され、第２スイッチ１０７２はオフ状態が維持されている。この場合、図１、図１４（Ａ）に示すように、前記カメラヘッド２０は、前記撮影レンズ光学機影２００２の光軸がカメラ本体１０の前方に向いた状態となる。
したがって、撮影者は、前記モニタ１００２に表示される被写体像を視認しつつ、あるいは前記接眼窓２０２２Ｃから被写体像を視認しつつ撮影を行なうことができる。
【００３９】
図１２（Ｄ）に示すように、前記カメラヘッド２０をさらに矢印方向に揺動させ、その角度が１８０度となると、ヒンジ機構２２のクリックばね２２０８の凸部２２０８Ａがクリックプレート２２１０の凹部２２１０Ｃに係合した状態となる。これによりカメラヘッド２０の揺動姿勢が保持され、第１スイッチ２００２はオン状態が維持され、第２スイッチ１０７２はオフ状態が維持されている。
この場合、図１、図１４（Ａ）に示すように、前記カメラヘッド２０は、前記撮影レンズ光学機影２００２の光軸がカメラ本体１０の上方に向いた状態となる。
したがって、撮影者は、前記モニタ１００２に表示される被写体像を視認しつつ撮影を行なうことができる。
【００４０】
図１２（Ｅ）に示すように、前記カメラヘッド２０をさらに矢印方向に揺動させ、その角度が２７０度となると、ヒンジ機構２２のクリックばね２２０８の凸部２２０８Ａがクリックプレート２２１０の凹部２２１０Ｄに係合した状態となる。これによりカメラヘッド２０の揺動姿勢が保持され、第１スイッチ２００２はオン状態が維持されているが、第２スイッチ１０７２は第２カム部２０５４によってオフ状態からオン状態に切り替わる。これにより、オン状態の第２検出信号Ｓ２を入力した前記制御部１０３０は、前記モニタ１００２に表示される画像を鏡面表示に切り換える。
この場合、図１４（Ｂ）に示すように、前記カメラヘッド２０は、前記撮影レンズ光学系２００２の光軸がカメラ本体１０の後方に向いた状態となる。
したがって、撮影者は、カメラ本体１０の後方に位置した状態で、前記撮影レンズ光学系２００２の光軸を撮影者自身に向けるとともに、前記モニタ１００２に表示される被写体像である自らを視認しつつ対面撮影を行なうことができる。
また、この場合、前記カメラ本体１０の後方を被写体に向け、すなわちカメラヘッド２０の撮影レンズ光学系２００２の光軸およびモニタ１００２の表示面の双方を被写体に向け、撮影者がカメラ本体１０の前方側からカメラヘッド２０の接眼窓２０２２Ｃによって被写体を視認しつつ撮影を行なうこともできる。
【００４１】
図１２（Ｆ）に示すように、前記カメラヘッド２０をさらに矢印方向に揺動させ、その角度が３００度となると、ヒンジ機構２２のクリックばね２２０８の凸部２２０８Ａがクリックプレート２２１０の凹部２２１０Ｅに係合した状態となる。これによりカメラヘッド２０の揺動姿勢が保持され、第１、第２スイッチ１０７０、１０７２はともにオン状態に維持されている。これにより、前記モニタ１００２に表示される画像は鏡面表示のまま維持されている。
この場合、図１４（Ｆ）に示すように、前記カメラヘッド２０は、前記撮影レンズ光学系２００２の光軸がカメラ本体１０の後方からやや下方に向いた状態となる。
したがって、撮影者は、前記カメラ１００の後方に、かつ、カメラ１００よりも下方に位置した状態で、前記撮影レンズ光学系２００２の光軸を撮影者自身に向けるとともに、前記モニタ１００２に表示される被写体像である自らを視認しつつ対面撮影を行なうことができる。
【００４２】
また、撮影が終了した後、前記カメラヘッド２０を揺動させ図１４（Ａ）に示す収納位置に戻すと、前記第１スイッチ１０７０からの第１検出信号Ｓ１がオフ状態となり、これにより前記制御部１０３０により前記電源供給が停止される。
【００４３】
本実施の形態では、前記カメラヘッド２０が前記Ｘ度乃至３００度の範囲に位置した状態では前記カメラ１００による撮影が可能な状態となっており、前記Ｘ度乃至３００度の範囲のカメラヘッド２０の位置が特許請求の範囲の撮影位置に相当している。
【００４４】
次に上述のように構成されたカメラ１００の作用について説明する。
図１６に示すように、前記カメラ本体１０の底壁１０４４が上方に、下壁１０３４が下方に位置し、かつ、前記カメラヘッド２０が収納位置から９０度に揺動された撮影位置にあるものとする。
この状態において、前記カメラ１００の電源がオンされると、前記第１回路基板１４が動作し温度上昇し、その熱は前記ケース１０３２の底壁１０４４に伝達される。
また、前記第２回路基板１４が動作し温度上昇すると、その熱の大部分は前記ケース１０３２の前壁１０３６に伝達され、該前壁１０３６に接した空気により放熱され、残りの熱はケース１０３２内部において上方に移動し前記底壁１０４４に伝達される。
また、前記モニタ１００２が動作し温度上昇すると、その熱の大部分はモニタ１００２の表示面を介して該表示面に接した空気により放熱され、残りの熱はケース１０３２内部において上方に移動し前記底壁１０４４に伝達される。
前記底壁１０４４に伝達された熱は、該底壁１０４４から底壁１０４４とカメラヘッド２０との間に形成された空間により放熱され、すなわち大気により放熱される。
これにより、前記底壁１０４４に面した空気に対流現象が生じて上方に移動し、他の熱せられていない空気が前記底壁１０４４の近傍に移動することで効率よく底壁１０４４の放熱、言い換えると第１回路基板１２の放熱、あるいはケース内の放熱が行なわれる。
また、前記カメラヘッド２０が収納位置から撮影位置に揺動されている場合（本例では９０度）には、前記底壁１０４４の上方にはカメラヘッド２０との間に比較的広い空間が形成されるので、底壁１０４４で熱せられた空気の上方への移動がスムースに行なわれ、これにより対流現象が盛んになる。
なお、前記カメラヘッド２０が収納位置に位置した状態であっても前記底壁１０４４とカメラヘッド２０との間には若干の隙間が形成されているため、この状態であっても対流現象が発生しており、底壁１０４４の放熱が確保されている。
【００４５】
上述したように本実施の形態によれば、動作に伴って温度上昇する第１回路基板１２を、カメラヘッド２０収容用の凹部１０３３の底壁１０４４に臨む箇所に配置したので、第１回路基板１２で発生した熱を前記底壁１０４４部分を介して効率的に放熱することができる。したがって、前記第１回路基板１２に実装された回路素子の温度上昇を抑制することにより、該回路素子の動作の安定化を図る上で有利となる。
また、前記底壁１０４４とカメラヘッド２０の間に形成された空間で空気の対流現象が発生することにより、放熱効果を向上させる上で有利となる利点がある。
また、前記凹部１０３３を構成する底壁１０４４部分は、カメラヘッド２０が収納される場所であるため、通常指などで触れることが少ないため、カメラの使用者に不快感を与えることもない。
【００４６】
なお、本実施の形態では、前記カメラヘッド２０をカメラ本体１０の凹部１０３３の両側に設けた２つの軸支部２０４４、２０４６で揺動可能に連結する構成としたが、前記軸支部が一つのみ設けられた構成、すなわちカメラヘッド２０が片持ちで支持される構成であってもよい。
また、実施の形態では、カメラヘッド２０をカメラ本体に対して揺動可能に設けた場合について説明したが、カメラヘッド２０の移動構成は種々考えられ、揺動のみに限定されない。
【００４７】
【発明の効果】
以上説明したように本発明のカメラによれば、動作に伴って温度上昇する回路基板の放熱を効果的に行なうことができる。
【図面の簡単な説明】
【図１】本発明の第１実施の形態におけるカメラを前方から見た斜視図である。
【図２】本発明の第１実施の形態におけるカメラを後方から見た斜視図である。
【図３】本発明の第１実施の形態におけるカメラにバッテリーとメモリデバイスを挿入する状態を示す説明図である。
【図４】本発明の第１実施の形態におけるカメラの構成を示すブロック図である。
【図５】カメラヘッドの斜視図である。
【図６】カメラヘッドに収容される部品の斜視図である。
【図７】カメラヘッドの軸支部を示す分解斜視図である。
【図８】カメラヘッドの軸支部を示す斜視図である。
【図９】ヒンジ機構の分解斜視図である。
【図１０】ヒンジ機構の組立図である。
【図１１】クリックばねの凸部と、クリックプレートの５つの凹部との関係を示す要部断面図である。
【図１２】カメラ本体に対するカメラヘッドの揺動動作を示す説明図である。
【図１３】カメラヘッドの撮影レンズ光学系の撮影範囲を示す説明図である。
【図１４】（Ａ）はカメラヘッドがカメラ本体の前方を向いた状態を示す図、（Ｂ）はカメラヘッドがカメラ本体の後方を向いた状態を示す図である。
【図１５】カメラ本体１０に収容保持されている回路基板の配置を示す説明図である。
【図１６】図１５の縦断面図である。
【図１７】（Ａ）は吊り下げ金具の斜視図、（Ｂ）は吊り下げ金具とケースを示す図、（Ｃ）は取付片の斜視図、（Ｄ）は吊り下げ金具と取付片とケースの取付状態を示す図である。
【図１８】吊り下げ金具の別の例を示す斜視図である。
【図１９】吊り下げ金具とケースの取付状態を示す図である。
【図２０】吊り下げ金具と取付片とケースの取付状態を示す図である。
【図２１】（Ａ）はＥリングの斜視図、（Ｂ）は吊り下げ金具の正面図、（Ｃ）はＥリングを吊り下げ金具に取付けた状態を示す図、（Ｄ）はＥリングの係合が不充分な状態を示す図である。
【符号の説明】
１００……カメラ、１０……カメラ本体、２０……カメラヘッド、１２……第１回路基板、１０３２……ケース、１０３３……凹部、１０４４……底壁。
【図１】
2004054159.tif 000003
【図２】
2004054159.tif 000004
【図３】
2004054159.tif 000005
【図４】
2004054159.tif 000006
【図５】
2004054159.tif 000007
【図６】
2004054159.tif 000008
【図７】
2004054159.tif 000009
【図８】
2004054159.tif 000010
【図９】
2004054159.tif 000011
【図１０】
2004054159.tif 000012
【図１１】
2004054159.tif 000013
【図１２】
2004054159.tif 000014
【図１３】
2004054159.tif 000015
【図１４】
2004054159.tif 000016
【図１５】
2004054159.tif 000017
【図１６】
2004054159.tif 000018
【図１７】
2004054159.tif 000019
【図１８】
2004054159.tif 000020
【図１９】
2004054159.tif 000021
【図２０】
2004054159.tif 000022
【図２１】
2004054159.tif 000023